(57)【要約】【課題】  撮影レンズおよびシャッタや絞りを備えた、複数の撮影光学系が小型の筐体内に効率よく配置される携帯機器を提供する。【解決手段】アクチュエータ１３０を取り巻くように可動部材を備えた４つのレンズユニットＡ〜Ｄを配備する。そのアクチュエータ１３０と４つのレンズユニットＡ〜Ｄそれぞれの可動部材１３１Ａ〜１３１Ｄとを連結しアクチュエータ１３０の駆動力を可動部材１３１Ａ〜１３１Ｄに伝達して可動部材１３１Ａ〜１３１Ｄを動作させる。一つのアクチュエータ１３０で４つの可動部材１３１Ａ〜１３１Ｄを一斉に駆動するようにして部品点数を削減し、小型の筐体内に、可動部材である絞りやシャッタなどを備えた、複数の撮影光学系を収める。【選択図】  図３
2006017993.tif 000002
【特許請求の範囲】
【請求項１】
被写体光を捉えることにより撮影を行なう撮影装置において、
アクチュエータと、
前記アクチュエータを取り巻くように配備された、それぞれが可動部材を備えた複数のレンズユニットと、
前記アクチュエータと前記複数のレンズユニットそれぞれの可動部材とを連結し該アクチュエータの駆動力を該可動部材に伝達して該可動部材を動作させる連結部材とを備えたことを特徴とする撮影装置。
【請求項２】
前記可動部材が前記レンズユニットを通過する光量を制御する光量制御部材であることを特徴とする請求項１記載の撮影装置。
【発明の詳細な説明】
【技術分野】
【０００１】
被写体光を捉えることにより撮影を行なう撮影装置に関する。
【背景技術】
【０００２】
機器の中には小型で軽くて携帯するのに便利な携帯機器がある。そのようなものの中には携帯電話器といった携帯機器があり、最近ではこのような携帯機器にデジタルカメラが配備されたものも多い。
【０００３】
ところで、最近、第１の筐体と、その第１筐体の表面に沿って左右いずれにも回動自在に軸支された第２の筐体とを備え、その第２の筐体がその第１の筐体の表面に重なる重なり状態とその第２の筐体が回動して第１の表面を露呈させた展開状態とを有する、いわゆるリボルブ式（あるいは回動式と呼ばれる）の携帯電話器が発売されている（例えば非特許文献１参照）。
【０００４】
このリボルブ式の携帯電話器には撮影レンズが配備されているものもあり、今後は撮影レンズを繰り出し自在にしてＴＥＬＥ／ＷＩＤＥの二段式の切替機能や連続的な光学ズーム機能を搭載しようとする動きも出てきている。さらに様々な撮影機能の拡張が図れる多眼式のものを携帯機器に搭載しようとする動きもある。このような機能を携帯電話器に持たせるためには小さな鏡胴内にコンパクトに収納される撮影光学系や繰出沈胴機構が必要になってくる。
【０００５】
しかし、繰出沈胴機構とともに、撮影レンズ、およびその撮影レンズを通過する光量を調節するシャッタや絞りを備えた撮影光学系をこの携帯機器に搭載するとなると、どうしても繰出沈胴機構とシャッタや絞りを駆動する駆動機構を共に携帯機器内に搭載しなければならず、各機構にはアクチュエータが必要になり、携帯機器が大型化してしまう。また、撮影機能の拡張を図ることを考えて複数の撮影光学系を搭載して多眼式の撮影装置を構成するとなると、さらにアクチュエータの数が増大して携帯機器がどんどんと大型化してしまう。
【非特許文献１】インターネット＜ＵＲＬ：ｈｔｔｐ／／ｗｗｗ．ｄｏｃｏｍｏ−ｋａｎｓａｉ．ｃｐ．ｊｐ／／ｃｏｒｐｏｒａｔｉｏｎ／ｎｅｗｒｅｌｅａｓｅ／２００３／０００２７ｉｇｌ／
【発明の開示】
【発明が解決しようとする課題】
【０００６】
本発明は、上記事情に鑑み、撮影レンズおよびシャッタや絞りを備えた撮影光学系が複数、機器内に搭載されたとしてもその複数の撮影光学系がコンパクトに収容される携帯機器を提供することを目的とする。
【課題を解決するための手段】
【０００７】
上記目的を達成する本発明の携帯機器は、被写体光を捉えることにより撮影を行なう撮影装置において、
アクチュエータと、
上記アクチュエータを取り巻くように配備された、それぞれが可動部材を備えた複数のレンズユニットと、
上記アクチュエータと上記複数のレンズユニットそれぞれの可動部材とを連結しそのアクチュエータが駆動力をその可動部材に伝達してその可動部材を動作させる連結部材とを備えたことを特徴とする。
【０００８】
上記本発明の携帯機器によれば、上記アクチュエータを取り巻くように上記可動部材を備えた、複数のレンズユニットそれぞれが配備される。
【０００９】
そうすると、複数のレンズユニットごとにアクチュエータを設ける必要がなくなり、複数のレンズユニットを配設するスペースの中央に、小型のアクチュエータ一つを設けるスペースさえあれば、さほど場所を取らずに複数のレンズユニットとアクチュエータとを配備することが可能となる。
【００１０】
ここで上記可動部材が上記レンズユニットを通過する光量を制御する光量制御部材であることが好ましい。
【００１１】
そうすると、上記アクチュエータで各レンズユニットの光量制御部材が一斉に駆動される。例えばその光量制御部材が絞りであるとすると、撮影時に複数のレンズユニットを通過する光量がほぼ同じ量となるように一つのアクチュエータによって各レンズユニットの絞りが駆動される。またその光量制御部材がシャッタまたは絞り兼用シャッタであったとすると、レリーズ操作に応じて、各レンズユニットが備えるシャッタまたは絞り兼用シャッタが一斉に駆動される。
【００１２】
このように上記複数のレンズユニットを上記一つのアクチュエータにより同じタイミングで駆動することができるようにしておくと、上記複数のレンズユニットを使って様々な撮影機能をこの撮影装置に持たせるときに有効である。
【発明の効果】
【００１３】
以上、説明したように、撮影レンズおよびシャッタや絞りを備えた撮影光学系が複数、機器内に搭載されたとしてもその複数の撮影光学系がコンパクトに収容される携帯機器が実現される。
【発明を実施するための最良の形態】
【００１４】
以下図面を参照して本発明の実施の形態を説明する。
【００１５】
本発明の実施形態である携帯機器の一例として携帯電話器１を例に掲げて以下説明する。
【００１６】
図１、図２は、リボルブ式の携帯電話器１の外観を示す図である。
【００１７】
図１（ａ）には、重なり状態にあるときの携帯電話器１を斜め上方から見た図が、図１（ｂ）には図１（ａ）に示す第１の筐体１０の裏面を示す図が、また図１（ｃ）には図１（ａ）の携帯電話器１を側方から見た図がそれぞれ示されている。図２（ａ）には、展開状態にあるときの携帯電話器１を斜め上方から見た図が、図２（ｂ）には図２（ａ）に示す第１の筐体１０の裏面を示す図が、また図２（ｃ）には図２（ａ）の携帯電話器を側方から見た図がそれぞれ示されている。
【００１８】
この携帯電話器１は、第１の筐体１０と、その第１筐体１０の表面に沿って左右いずれにも回動自在に軸支された第２の筐体１１とを備え、その第２の筐体１１がその第１の筐体１０の表面に重なる重なり状態（図１参照）とその第２の筐体１１が回動してその第１の表面を露呈させた展開状態（図２参照）とを有するものである。この携帯電話器１は撮影レンズを含む構成であってその撮影レンズを経由して入射してきた被写体光を捉えることにより撮影を行なう撮影装置を備えたものでもある。この携帯電話器１の撮影装置を使用するときには第２の筐体１０の表面に設けられた表示パネル１１０がファインダとして用いられてその表示パネル上に撮影レンズが向けられた方向の被写体が表示される。
【００１９】
この携帯電話器１に搭載された撮影装置は、図１に示す重なり状態であっても電源が投入されれば撮影を行なうことができ、さらにその重なり状態にあった第２の筐体１１が第１の筐体１０に対して回動されレンズ１０Ａ〜１０Ｄが繰出されると、異なる焦点距離での撮影を行なうことができる（図２参照）。したがって図１、図２に示す携帯機器内にはコンパクトな繰出沈胴機構が配備されている。
【００２０】
ここで、その繰出沈胴機構とレンズ１０Ａ〜１０Ｄを含む各レンズユニットの構成を、図３，図４，図５を参照して説明する。
【００２１】
図３はこの携帯電話器１が重なり状態にあるときの各レンズユニットＡ〜Ｄが備えるレンズ１０Ａ〜１０Ｄの繰出沈胴機構を示す図であり、図４はこの携帯電話器１が展開状態になったときの各レンズユニットＡ〜Ｄが備えるレンズ１０Ａ〜１０Ｄの繰出沈胴機構を示す図である。また、図５は、図３（ａ）または図４（ａ）に示すレンズユニットＡとレンズユニットＤとの双方を斜めに横切る線で切断してその切断した面を側方から見た図である。
【００２２】
図３（ａ）には、この携帯電話器１が重なり状態にあるときに携帯電話器１の第１の筐体１０の内部に配設されているレンズユニットのレンズ１０Ａ〜１０Ｄを上方から見た平面図が、図３（ｂ）には、その図３（ａ）に示す４つのレンズユニットＡ〜Ｄのうち、横方向に並んでいる２つのレンズユニットＣ，Ｄを横方向に切断してその切断した面を側方から見た図が、図３（ｃ）には、その図３（ａ）に示すレンズユニットＡ〜Ｄのうち、縦方向に並んでいる２つのレンズユニットＡ，Ｃを縦方向に切断してその切断した面を側方から見た図がそれぞれ示されている。また図４（ａ）には、この携帯電話器１が図２に示す展開状態にあるときに携帯電話器１の第１の筐体１０の内部に配設されているレンズユニットＡ〜Ｄを上方から見た平面図が、図４（ｂ）には図４（ａ）に示すレンズユニットＡ〜Ｄのうち、縦方向に並んでいる２つのレンズユニットＡ，Ｃを縦方向に切断してその切断した面を側方から見た図がそれぞれ示されている。
【００２３】
図１〜図２で説明したように、第２の筐体１１は第１筐体１０の表面に沿って左右いずれにも回動自在に回動軸１１ａによって軸支されており、携帯時にはその第２の筐体１１が第１の筐体１０の表面に重なる重なり状態（図１参照）になって携帯される。その重なり状態から第２の筐体１１が回動されて展開状態（図２参照）まで展開されることによって携帯電話器として用いられたり、異なる焦点距離での撮影を行うことができる撮影装置として用いられたりする。
【００２４】
まず図３〜図５を参照し、繰出沈胴機構の構成を説明する。
【００２５】
図３〜図５に示す各レンズユニットＡ〜Ｄは、図１、図２に示したレンズ１０Ａ〜１０Ｄをそれぞれ備えている。それらのレンズ１０Ａ〜１０Ｄは繰出沈胴機構によって保持されており、その繰出沈胴機構は、各レンズ１０Ａ〜１０Ｄを保持するレンズ保持枠１０４Ａ〜１０４Ｄと、それらのレンズ保持枠１０４Ａ〜１０４Ｄに対し光軸方向に重なる位置に設けられた、上記第２の筐体１１の回動に連動して回動するカムリング１０３Ａ〜１０３Ｄとをそれぞれ備えている。レンズ保持枠それぞれ１０４Ａ〜１０４Ｄとカムリング１０３Ａ〜１０３Ｄそれぞれとが、カムリング１０３Ａ〜１０３Ｄの回動に伴ってレンズ保持枠１０４Ａ〜１０４Ｄを光軸方向に移動させるように相互にカム係合されている。
【００２６】
図３（ｂ）にはレンズ保持枠１０４Ｃ側にカムピン１０４１Ｃが設けられカムリング１０３Ｃ側にカム溝１０３１Ｃが設けられて、そのレンズ保持枠のカムピン１０４１Ｃとそのカムリングのカム溝１０３１Ｃとが相互に係合されている（図３（ｂ）参照）状態が示されている。この図３（ｂ）に示されているレンズ保持枠１０４Ｃのほか、３つのレンズ保持枠１０４Ａ，１０４Ｂ，１０４Ｄそれぞれの重なる位置にもカムリング１０３Ａ，１０３Ｂ，１０３Ｄがそれぞれ設けられ、それらが同じ様に相互にカム係合されている。
【００２７】
また本実施形態においては、上記４つのカムリング１０３Ａ〜１０３Ｄをそれぞれ回動させるにあたって、第２の筐体１１が所定の範囲以上つまり所定の角度以上回動されたときに、４つのカムリングのうちの一つのカムリング１０３Ｃが回動されるように第２の筐体１１の回動軸１１ａの外周に切り欠きギア１１１ａが設けられている。この切り欠きギア１１１ａが第１のギア１０１と噛合するともう一つのギア１０２の回転を受けてカムリング１０３Ｃが回動し、そのカムリング１０３Ｃが回動すると連結ギア１０５１〜１０５３によって残りの各カムリング１０３Ａ，１０３Ｂ，１０３Ｄすべてに伝えられて各カムリング１０３Ａ，１０３Ｂ，１０３Ｃ，１０３Ｄが回動する。このようにしておくと、各レンズユニットＡ〜Ｄが持つ各レンズ１０Ａ〜１０Ｄを第２の筐体１１の回動に連動させて繰り出すことができる。
【００２８】
また、切り欠きギア１１１ａを設けてあるので、第２の筐体１１の回動に連動させて各レンズ１０Ａ〜１０Ｄを沈胴させるにあたって、そのカムリング１０３Ｃの外周に外方へ向けて突出部１０３０が設けられ、さらにその突出部１０３０を挟み込むようにして付勢部材ここでは捩じりバネ１２０が配設されている。この捩じりバネ１２０が第２の筐体が回動されて図３に示す状態から図４に示す展開状態になったときに、カムリング１０３Ｃの回動に伴って突出部１０３０により押し広げられると付勢力が蓄えられ、この携帯機器を携帯しようとして第２の筐体が先の回動方向とは逆の方向に回動され、さらに切り欠きギア１１１ａとギア１０１とが噛合しなくなるところまで回動された瞬間にその捩じりバネ１２０の付勢力によりカムリング１０３Ｃの突出部１０３０が逆方向に回動されて各レンズユニットＡ〜Ｄの撮影レンズ１０Ａ〜１０Ｄそれぞれが沈胴するようになっている。なお、この携帯電話器に配備されている撮影装置を用いると、重なり状態にあっても撮影を行なうことができるので、そのことを示すため、展開状態を示す図４とともに重なり状態を示す図３にも撮影レンズの後方にある撮像素子１０７Ａ，１０７Ｃ，１０７Ｄが図示されている。
【００２９】
このように４つのレンズユニットＡ〜Ｄのレンズ１０Ａ〜１０Ｄがコンパクトな繰出沈胴機構に保持され、第２の筐体１１の回動状態に応じてレンズ１０Ａ〜１０Ｄが繰出されたり、沈胴したりして異なる焦点距離での撮影を行なうことができる撮影装置が構成される。
【００３０】
このような沈胴繰出機構に加えて、コンパクトにこの携帯機器の筐体内に配設されているレンズユニットＡ〜Ｄの構成を説明する。
【００３１】
図３、図４に示すように、アクチュエータ１３０を取り巻くように、それぞれが可動部材ここでは絞り板１３１Ａ〜１３１Ｄを備えた４つのレンズユニットＡ〜Ｄが筐体内に配設されている。このアクチュエータ１３０は回動自在なものであって、外部から回転を指示する信号が供給されてくるとその信号に応じて左右いずれかの回転方向に回動して、各レンズユニットが備える絞り板１３１Ａ〜１３１Ｄを一斉に回動する。
【００３２】
この図３にはアクチュエータ１３０としてモータが用いられ、そのモータのギアヘッドに円筒部材（図３（ａ）、図４（ａ），図５参照）１３０１が連結された例が示されている。その円筒部材１３０１にレンズ１０Ａ〜１０Ｄの方に向けて４つの突起部１３０１Ａ〜１３０１Ｄがそれぞれ設けられており、それらの４つの突起部１３０１Ａ〜１３０１Ｄそれぞれが、４つのレンズユニットＡ〜Ｄそれぞれが備える各絞り板１３１Ａ〜１３１Ｄに設けられた各スリット１３１１Ａ〜１３１１Ｄに差し込まれている。この４つの突起部１３０１Ａ〜１３０１Ｄと４つのスリット１３１１Ａ〜１３１１Ｄが本発明にいう連結部材に該当する。このようにしておくと、図示しない輝度検出部の検出結果に応じてモータが回転して、そのモータの回転により円筒部材１３０１が回転し、突起部１３０１Ａ〜１３０１Ｄとスリット１３１１Ａ〜１３１１Ｄからなる連結部材により絞り板１３１Ａ〜１３１Ｄが動作することによって開放絞りあるいは小絞りのうちのいずれかが光軸にセットされる。
【００３３】
この例においては小絞りが穿設された絞り板１３１Ａ〜１３１Ｄがアクチュエータ１３０の駆動力により回動されることによって、それぞれのレンズユニットの光軸に、図３に示すように絞り板１３１Ａ〜１３１Ｄが回動されて小絞りがセットされたり、それらの小絞りが光軸から取り除かれるように図４に示すように絞り板１３１Ａ〜１３１Ｄが回動されて開放絞りがセットされたりする。
【００３４】
なお、図５には、４つの絞り板１３１Ａ〜１３１Ｄのうちの２つの絞り板１３１Ａ，１３１Ｄとアクチュエータ１３０との連結状態が示されているが、図５に示す左側のレンズ１０Ａと右側のレンズ１０Ｄとが繰出沈胴機構によって繰り出される量が異なるように設定されているため、絞り板１３１Ａの配設高さと絞り板１３１Ｄの配設高さが異なるように連結されている。もし左側のレンズと右側のレンズとも繰出沈胴機構によって繰り出される量が同じであれば、同じ配設高さに絞り板がそれぞれ配設される。
【００３５】
このように一つのアクチュエータ１３０で４つのレンズユニットＡ〜Ｄそれぞれの絞り板１３１Ａ〜１３１Ｄそれぞれを一度に駆動することができるようにすると、各絞り板１３１Ａ〜１３１Ｄを駆動するアクチュエータを個別に設けなくても済む。言い換えれば、絞りを備えた、複数のレンズユニットとともに各レンズユニットの絞りを駆動するアクチュエータを非常に小さな空きスペースに配設することが可能となる。
【００３６】
また、さらにシャッタを設けて、そのシャッタを絞りと同じアクチュエータで駆動するようにすることができれば、小さな空きスペースに絞りだけでなくシャッタをも配設することができる。この場合、図５に示すように撮像素子１７０Ａの受光面近くにビハインドシャッタ１４０を構成するようなことを行なうと、絞りとともにそのビハインドシャッタを備えたレンズユニットを複数、小さな空きスペースに配設することが可能となる。また、絞り兼用シャッタであれば、絞り１３１Ａが配設されている位置（図５参照）に絞り兼用シャッタを設けても、ビハインドシャッタ１４０が配設される位置（図５参照）に絞り兼用シャッタを設けてもさほどスペースをとらずに、可動部材である絞り兼用シャッタを備えた、複数のレンズユニットが携帯機器内に配設される。
【００３７】
このようにすると、絞り、あるいはシャッタ、あるいは絞りとシャッタ、あるいは絞り兼用シャッタを備えた、複数の撮影光学系が小型の筐体内にすっぽりと収まるようになり、小型の携帯機器であっても様々な撮影機能を持つ多眼式の撮影装置がその小型の携帯機機内に配備される。
【図面の簡単な説明】
【００３８】
【図１】リボルブ式の携帯電話器１の外観を示す図であって、そのリボルブ式の携帯電話器が重なり状態にあるときの外観を示す図である。
【図２】リボルブ式の携帯電話器１の外観を示す図であって、そのリボルブ式の携帯電話器が展開状態にあるときの外観を示す図である。
【図３】この携帯電話器１が重なり状態にあるときに携帯電話器内部に配設されている４つのレンズユニットを示す図である。
【図４】この携帯電話器１が展開状態にあるときに携帯電話器内部に配設されている４つのレンズユニットを示す図である。
【図５】可動部である絞りとアクチュエータとの間の位置関係を示す図である。
【符号の説明】
【００３９】
１    携帯電話器
１０    第１の筐体
Ａ〜Ｄ    レンズユニット
１０Ａ〜１０Ｄ    レンズ
１０１    第１のギア
１０２    第２のギア
１０３Ａ〜１０３Ｄ    カムリング
１０３０    突出部
１０３１Ａ〜１０３１Ｄ    カム溝
１０４Ａ〜１０４Ｄ    レンズ保持枠
１０４１Ａ〜１０４１Ｄ    カムピン
１０５１〜１０５３    連結ギア
１０７Ａ〜１０７Ｄ  撮像素子
１１    第２の筐体
１１ａ    回動軸
１１０    表示画面
１２０    捩じりバネ
１３０    アクチュエータ
１３０１Ａ〜１３０１Ｄ    突起部
１３１Ａ〜１３１Ｄ    絞り板
１３１１Ａ〜１３１１Ｄ    スリット
【図１】
2006017993.tif 000003
【図２】
2006017993.tif 000004
【図３】
2006017993.tif 000005
【図４】
2006017993.tif 000006
【図５】
2006017993.tif 000007